(57)【特許請求の範囲】
【請求項１】
基礎スラブと、
前記基礎スラブ上に設置される支持脚と、
前記支持脚に支持され、頂板を有する根太と、
前記根太上に平面配置される複数の床パネルと、
隣接する前記床パネルの間であって前記根太と直交する方向に設置される長尺部材の連結材と、を備え、
前記連結材は、前記支持脚を収容する収容孔と、前記床パネル側に突出する突起部と、を有し、
前記支持脚は、根太と連結材が交差する位置に設置され、
隣接する前記床パネルが隙間を設けて配置されることで、接続空間が形成され、
隣接する前記床パネルに対向する前記床パネルの端部面には、凹部が設けられ、
前記突起部が前記凹部に挿入されて、前記接続空間に前記連結材が設置された、
ことを特徴とする乾式二重床構造。
【請求項２】
基礎スラブと、
前記基礎スラブ上に設置される支持脚と、
前記支持脚に支持され、頂板を有する根太と、
前記根太上に平面配置される複数の床パネルと、
隣接する前記床パネルの間に設置される連結材と、を備え、
前記連結材は、上下に重ねられる上部連結材と下部連結材で構成されるとともに、前記支持脚を収容する収容孔と、前記床パネル側に突出する突起部と、を有し、
前記突起部は、前記下部連結材に設けられ、
隣接する前記床パネルが隙間を設けて配置されることで、接続空間が形成され、
隣接する前記床パネルに対向する前記床パネルの端部面には、凹部が設けられ、
前記突起部が前記凹部に挿入されて、前記接続空間に前記連結材が設置された、
ことを特徴とする乾式二重床構造。
【請求項３】
内壁に囲まれた領域に設置される床構造において、
基礎スラブと、
前記基礎スラブ上に設置される支持脚と、
前記支持脚に支持され、頂板を有する根太と、
前記根太上平面配置される複数の床パネルと、
前記床パネルと前記内壁の間に設置される連結材と、を備え、
前記連結材は、上下に重ねられる上部連結材と下部連結材で構成されるとともに、前記支持脚を収容する収容孔と、前記床パネル側に突出する突起部と、を有し、
前記突起部は、前記下部連結材に設けられ、
前記床パネルが前記内壁との間に隙間を設けて配置されることで、接続空間が形成され、
前記内壁に対向する前記床パネルの端部面には、凹部が設けられ、
前記突起部が前記凹部に挿入されて、前記接続空間に前記連結材が設置された、
ことを特徴とする乾式二重床構造。
【請求項４】
前記連結材が、前記下部連結材と、該下部連結材上に配置される複数の前記上部連結材で構成され、
前記上部連結材が、前記下部連結材に設けられる前記収容孔の上方で空所を設けるように配置されることで、該収容孔の上方に開放空間が形成された、
ことを特徴とする請求項２又は請求項３記載の乾式二重床構造。
【請求項５】
平面配置された複数の前記床パネルの表面上に設置される床下地材と、
前記床下地材上に設置される床仕上げ材と、をさらに備え、
前記床下地材及び前記上部連結材が、木質材料によって形成され、
前記床下地材が、釘又はビスによって前記上部連結材に固定された、
ことを特徴とする請求項２乃至請求項４のいずれかに記載の乾式二重床構造。
【請求項６】
前記床パネルが押出成形セメント板である、
ことを特徴とする請求項１乃至請求項５のいずれかに記載の乾式二重床構造。
【請求項７】
前記根太が、溝形鋼で形成されるとともに、前記支持脚に固定された支持脚台座に載置され、
前記根太の溝形空間内に前記支持脚台座が収められる姿勢で、該根太が配置された、
ことを特徴とする請求項１乃至請求項６のいずれかに記載の乾式二重床構造。
【請求項８】
基礎スラブを構築する基礎スラブ構築工程と、
前記基礎スラブ上に支持脚を設置する支持脚設置工程と、
頂板を有する根太を前記支持脚に固定する根太固定工程と、
前記根太上に床パネルを載置する床パネル載置工程と、
隣接する前記床パネルの間に連結材を設置する連結材設置工程と、
複数の前記床パネルが平面配置された表面上に、床下地材及び床仕上げ材を設置する床仕上げ材設置工程と、を備え、
前記連結材は、上下に重ねられる上部連結材と下部連結材で構成されるとともに、前記支持脚を収容する収容孔と、前記床パネル側に突出する突起部と、を有し、
隣接する前記床パネルが隙間を設けて配置されることで、接続空間が形成され、
隣接する前記床パネルに対向する前記床パネルの端部面には、凹部が設けられ、
前記連結材設置工程では、前記下部連結材に設けられた前記突起部を前記凹部に挿入して、前記接続空間に前記連結材を設置する、
ことを特徴とする乾式二重床構造の構築方法。
【請求項９】
基礎スラブと、該基礎スラブ上に設置される支持脚と、該支持脚に固定される根太と、該根太上に載置される床パネルと、を備えた床構造において、隣接する該床パネル間に設置される連結材であって、
上下に重ねられる上部連結材と下部連結材で構成され、
前記下部連結材は、前記支持脚を収容する収容孔を有するとともに、前記床パネル側に突出する突起部を有し、
前記上部連結材は、木質材料によって形成され、
前記突起部は、前記床パネルの端部面に設けられる凹部に挿入しうる形状である、ことを特徴とする連結材。
【発明の詳細な説明】
【技術分野】
【０００１】
本願発明は、建物の床構造に関するものであり、より具体的には、遮音性能の高い乾式二重床構造に関するものである。
【背景技術】
【０００２】
戸建住宅や集合住宅をはじめとする建物の床構造は、基礎スラブ（通常はコンクリートスラブ）上に直接フローリング等の床仕上げ材を敷設する「直床」と、基礎スラブと床仕上げ材の間に空間を設ける「二重床」に大別される。直床は、床高を小さくすることができる反面、設備配管を基礎スラブ内に埋設することとなるため維持管理やリフォームが難しいという難点がある。
【０００３】
一方の二重床は、直床に比べて床高が大きくなるものの、軽量床衝撃音や重量床衝撃音に対する遮音効果があり、近年では集合住宅をはじめ多くの建物でこの二重床が採用されている。また二重床は、その構造形式の違いから「湿式二重床」と「乾式二重床」に分けられ、このうち乾式二重床は基礎スラブ上の空間が利用できることから設備配管の維持管理やリフォームによる配管替えも比較的容易である。
【０００４】
図１１は、従来の湿式二重床を示す断面図、図１２は、従来の乾式二重床を示す断面図である。図１１に示すように従来の湿式二重床は、基礎スラブ上にグラスウールなどの緩衝材を敷設し、さらにその上にモルタル（あるいはコンクリート）層を設け、このモルタル層の上に直接床仕上げ材を設置した構造である。湿式二重床は、床全体の重量が大きく、また緩衝材を敷設することから、乾式二重床に比べて遮音性能は高いが、モルタル層の上に直接設置するため床仕上げ材の選択幅が狭く、またモルタル打設や養生などを行うことから施工に長い時間を要し、モルタルのノロ等が緩衝材に入り込むことで遮音性能が劣化するといった難点が挙げられる。
【０００５】
図１２に示すように従来の乾式二重床は、基礎スラブ上に防振支持脚が設置され、この防振支持脚に固定された支持脚台座が床下地材を支持し、床下地材の上に床仕上げ材を設置した構造である。乾式二重床は、湿式二重床に比べて工期は短くなるが、従来の方式では床全体が軽量であるが故に遮音性能に限界があるという難点が挙げられる。
【０００６】
乾式二重床の遮音性能を向上させるには、例えば床仕上げ材の重量を大きくしその剛性を高めることが考えられるが、それに伴って床仕上げ材を支持する構造の規模も大きくなり、その結果床高も大きくなってしまう。もちろん建物としては広い室内空間の確保が望まれ、したがって床高はできるだけ小さくなるよう設計される。つまり従来の乾式二重床は、床高に制約があるため遮音性能に限界があったわけである。そこで特許文献１や特許文献２では、限られた床高の条件下でも遮音性能を向上させる技術を提案している。
【先行技術文献】
【特許文献】
【０００７】
【特許文献１】特開２０１１−２１４３８５号公報
【特許文献２】特開２００５−２８２２７３号公報
【発明の概要】
【発明が解決しようとする課題】
【０００８】
特許文献１で提案される技術は、下地板と根太を一体化させることで下地材の剛性を高め、遮音性能の向上を図る技術である。また特許文献２は、基礎スラブと床仕上げ材の間に振動吸収部材（複数の不敷布や、傾斜して設けた拡散板）を設置することで、空気層の共振音の低減を図る技術である。
【０００９】
音を遮る物の重量を大きくすると、遮音性能の向上に特に有効であることが知られている。つまり乾式二重床の場合であれば、床構造全体の重量を大きくすることが遮音性能の向上に有効となるわけである。ところが特許文献１や特許文献２で提案される技術は、床構造全体の重量という点でみると従来の構造とそれほど変化がない。したがって、両文献の技術を採用しても、大幅な遮音性能の向上は期待できない。
【００１０】
本願発明者らは、床構造全体の重量を大きくすることで遮音性能の向上を図ることとし、従来の構造に床パネルを追加して設置することとした。例えばこの床パネルは、主に壁材として用いられる押出成形セメント板を利用することができる。押出成形セメント板のような床パネルを加えることによって従来の床構造よりも重量が大きくなり、その結果遮音性能の向上を図ることができる。
【００１１】
床パネルを設置するにあたっては、いくつか問題もある。床面全体を覆うためには、複数の床パネルが平面配置されることとなるが、単に設置しただけでは不安定であるうえ、隣接（対向する）する床パネルどうしが接触するため部材が欠損するおそれもある。また、床パネルを配置することでその分床高が大きくなってしまうことも考えられる。
【００１２】
本願発明の課題は、床高を大きくすることなく遮音性能を高める技術を提供することであって、床パネルを設けるとともに、隣接する床パネルどうしが接触することなく連結され、しかも確実に安定するよう床パネルが設置された乾式二重床構造、その乾式二重床構造の構築方法、及び乾式二重床構造に用いられる連結材を提供することである。
【課題を解決するための手段】
【００１３】
本願発明は、乾式二重床構造に押出成形セメント板といった床パネルを設けることとし、さらにこの床パネルを連結するとともに安定固定させるための連結材を設置する、という点に着目してなされたものであり、これまでにない発想に基づいて行われたものである。
【００１４】
本願発明の乾式二重床構造は、基礎スラブと、支持脚、根太、床パネル、連結材を備えた構造である。支持脚は基礎スラブ上に設置され、根太は支持脚に支持される。なおこの根太は、少なくとも薄板状の頂板を有するものである。根太上に複数の床パネルが平面配置され、連結材は隣接する床パネルの間に設置される。この連結材は、支持脚を収容する収容孔と床パネル側に突出する突起部を有している。また床パネルの端部面（平面配置した際の側面のうち隣接する床パネルに対向する側面）には凹部が設けられている。隣接する床パネルが隙間を設けて配置されることで接続空間が形成され、この接続空間に連結材が設置される。このとき、連結材の突起部が床パネルの凹部に挿入される。
【００１５】
本願発明の乾式二重床構造は、室内の壁（内壁）と床パネルの間に連結材を設置した構造とすることもできる。この場合、床パネルが室内壁との間に隙間を設けて配置されることで接続空間が形成され、この接続空間に連結材が設置される。
【００１６】
本願発明の乾式二重床構造は、床パネルとして押出成形セメント板を用いた構造とすることもできる。
【００１７】
本願発明の乾式二重床構造は、溝形鋼で形成された根太と、支持脚台座を用いた構造とすることもできる。根太は、支持脚に固定された支持脚台座に載置され、根太の溝形空間（ウェブと両フランジに囲まれた領域）内に支持脚台座が収められる姿勢で、根太は配置される。
【００１８】
本願発明の乾式二重床構造は、上下に重ねられる上部連結材と下部連結材で構成される連結材を用いた構造とすることもできる。この場合、突起は下部連結材に設けられ、下部連結材が支持脚に固定されることで、突起が床パネルを押しつけるように固定することができる。
【００１９】
本願発明の乾式二重床構造は、下部連結材に設けられた収容孔の上方に開放空間が形成された構造とすることもできる。この場合の連結材は、下部連結材と、この下部連結材上に配置される複数の上部連結材で構成され、収容孔の上方では空所を設けるように上部連結材が配置されることで、開放空間が形成される。
【００２０】
本願発明の乾式二重床構造は、床下地材と床仕上げ材をさらに備えた構造とすることもできる。床下地材は平面配置された複数の床パネルの表面上に設置され、床仕上げ材は床下地材上に設置される。木質材料（木材又は木材を主原料とする合材）によって形成される床下地材は、同じく木質材料によって形成される上部連結材に釘又はビスを用いて固定される。
【００２１】
本願発明の乾式二重床構造の構築方法は、基礎スラブ構築工程と、支持脚設置工程、根太固定工程、床パネル載置工程、連結材設置工程、床仕上げ材設置工程を備えた方法である。基礎スラブ構築工程では、基礎スラブが構築され、支持脚設置工程では、支持脚が基礎スラブ上に設置される。根太固定工程では、薄板状の頂板を有する根太が支持脚に固定され、床パネル載置工程では、床パネルが根太上に載置される。連結材設置工程では、隣接する床パネルの間に連結材が設置され、床仕上げ材設置工程では、複数の床パネルが平面配置された表面上に床下地材及び床仕上げ材が設置される。連結材は、支持脚を収容する収容孔と、床パネル側に突出する突起部を有している。また床パネルの端部面には凹部が設けられている。隣接する床パネルが隙間を設けて配置されることで接続空間が形成され、この接続空間に連結材が設置される。このとき、連結材の突起部が床パネルの凹部に挿入される。
【００２２】
本願発明の連結材は、基礎スラブと、この基礎スラブ上に設置される支持脚、支持脚に固定される根太、根太上に載置される床パネルを備えた床構造に用いられるものである。本願発明の連結材は、上下に重ねられる上部連結材と下部連結材で構成され、このうち上部連結材は木質材料によって形成され、下部連結材は支持脚を収容する収容孔を有するとともに、床パネル側に突出する突起部を有している。下部連結材の突起部は、床パネルの端部面に設けられる凹部に挿入しうる形状である。
【発明の効果】
【００２３】
本願発明の乾式二重床構造、乾式二重床構造の構築方法、及び連結材
には、次のような効果がある。
（１）床パネルを加えたことによって乾式二重床構造全体の重量が大きくなり、その結果、軽量床衝撃音や重量床衝撃音に対する遮音性能が従来よりも向上する。
（２）乾式であるため、コンクリートやモルタルの打設〜養生が不要であり、短い工期で構築することができる。また、リニューアルでも抵抗なく採用できる。
（３）押出成形セメント板など完成品を床パネルとして用いることで、施工手間や施工期間の増大を防ぐことができる。さらに床パネルのサイズを小さくすることで、例えば一人でも運搬することができ、より作業が容易となる。
（４）根太を、少なくとも薄板状の頂板を有するものとしたことから、根太が床高に影響することがなく、床パネルを設置したとしても床高の増大を抑えることができる。
（５）隣接する床パネルの間に連結材を設置することで、床パネルが堅固に連結されるとともに、双方の接触による部材損傷を防止することができる。
（６）連結材の突起部が床パネルの凹部に挿入されることで、床パネルが堅固に固定され、この結果、床パネルによって押さえつけられる根太もぐらつくことなく安定する。
（７）連結材を上部連結材と下部連結材の構成とし、さらに上部連結材を木質材料によって形成することで、床下地材を釘やビスで固定することができる。さらに、床下地材を合板等とすることができるため、床仕上げ材に制約がなく選択の幅が広がる。
【図面の簡単な説明】
【００２４】
【図１】本願発明の乾式二重床構造を示す部分断面図。
【図２】（ａ）は基礎スラブと支持脚を設置した状態を示すステップ図、（ｂ）は根太を設置した状態を示すステップ図、（ｃ）は左側の床パネルを設置した状態を示すステップ図、（ｄ）は連結材を設置した状態を示すステップ図、（ｅ）は右側の床パネルを設置した状態を示すステップ図、（ｆ）は床下地材と床仕上げ材を設置した状態を示すステップ図。
【図３】（ａ）は内壁に囲まれた室内に設置した支持脚と根太を示す平面図、（ｂ）は室内に設置した連結材を示す平面図、（ｃ）は室内に設置した床パネルを示す平面図。
【図４】（ａ）は支持脚台座上に設置された溝形鋼の根太を示す部分断面図、（ｂ）は支持脚台座上に設置された平鋼の根太を示す部分断面図。
【図５】（ａ）は押出成形セメント板を用いた床パネルの断面図、（ｂ）は根太上に設置された床パネルを示す平面図。
【図６】（ａ）は連結材をＹ軸方向に見た断面図、（ｂ）は根太上に設置された上部連結材と下部連結材をＸ軸方向に見た断面図。
【図７】（ａ）は両側に２つずつの突起部を設けた連結材を示す断面図、（ｂ）は一方側に１つの突起部、他方側に２つの突起部を設けた連結材を示す断面図。
【図８】内壁付近に構築される本願発明の乾式二重床構造を示す部分断面図。
【図９】本願発明の乾式二重床構造の構築方法の主な工程の流れを示すフロー図。
【図１０】本願発明の乾式二重床構造と従来構造の遮音効果を比較するグラフ図。
【図１１】従来の湿式二重床を示す断面図。
【図１２】従来の乾式二重床を示す断面図。
【発明を実施するための形態】
【００２５】
本願発明の乾式二重床構造、乾式二重床構造の構築方法、及び連結材の実施形態の一例を、図に基づいて説明する。
【００２６】
１．乾式二重床構造、及び連結材
はじめに、本願発明の乾式二重床構造とこの構造に用いる連結材について説明する。図１に示すように本願発明の乾式二重床構造は、おもに基礎スラブ１００と、根太２００、床パネル３００によって構成され、その上部に床下地材４００と床仕上げ材５００が設置される。基礎スラブ１００は、乾式二重床構造の荷重を支えるものであり、例えば盤状のコンクリート体である。根太２００は、少なくとも薄板状の頂板を有するもので、断面寸法に比して長さ寸法が著しく大きい部材（以下、ここでは「長尺部材」という。）である。また床パネル３００は板状の部材であり、工場等で製作されたものを利用するとよい。そして床下地材４００は木製板や合板、パーティクルボードからなる板材であり、床仕上げ材５００にはフローリングやカーペットなどが用いられる。
【００２７】
根太２００は、基礎スラブ１００の上に設置された支持脚６００によって支持される。具体的には、支持脚６００に固定された支持脚台座７００が根太２００を受けて支える。そして床パネル３００は根太２００によって支持され、この床パネル３００が床下地材４００と床仕上げ材５００を支える。また、隣接する床パネル３００ａ（図１では左側）と床パネル３００ｂ（図１では右側）の間に隙間（以下、「接続空間」という。）が設けられるように両者は配置され、この接続空間に連結材８００が設置される。なお図１に示す連結材８００は、上部連結材８１０と下部連結材８２０の２段構成であるが、後述するように上下に分離しない一体型とすることもできる。
【００２８】
以下、本願発明の乾式二重床構造を構成する主要な要素について、概ね設置する順に沿って詳しく説明する。
【００２９】
図２は、本願発明の乾式二重床構造を構築する順を示すステップ図であり、（ａ）は基礎スラブ１００と支持脚６００を設置した状態、（ｂ）は根太２００を設置した状態、（ｃ）は左側の床パネル３００ａを設置した状態、（ｄ）は連結材８００を設置した状態、（ｅ）は右側の床パネル３００ｂを設置した状態、（ｆ）は床下地材４００と床仕上げ材５００を設置した状態をそれぞれ示している。
【００３０】
（基礎スラブと支持脚）
図２（ａ）に示すように、はじめに場所打ちコンクリート等により基礎スラブ１００が構築され、その上に支持脚６００が設置される。この支持脚６００は、対象とする床面積に応じた数が用意され、あらかじめ定めた間隔を開けて配置される。図３は、内壁９００に囲まれた室内に構築される乾式二重床構造を段階的に示す平面図であり、（ａ）は支持脚６００と根太２００を設置した状態、（ｂ）は連結材８００を設置した状態、（ｃ）は床パネル３００を設置した状態をそれぞれ示している。なお図３に示すように、便宜上室内に直交する２軸を配置し、一方をＸ軸（図では左右方向）、Ｘ軸に直交する軸をＹ軸（図では上下方向）として説明する。この図では、Ｘ軸方向に間隔を開けて６個の支持脚６００が配置され、この６個一列の支持脚６００がＹ軸方向に間隔を開けて７列配置されている。
【００３１】
本願発明の乾式二重床構造の遮音性能をさらに向上させるため、支持脚６００は防振支持脚とするのが望ましい。防振支持脚は、図２（ａ）に示すように、台座６１０と、この台座６１０に立設される支持柱６２０でおもに構成される。この台座６１０は、防振ゴムなど防振性部材で形成されるものである。また支持柱６２０の中段には、中空筒状の本体と外側に突出するフランジからなるストッパ６３０が取り付けられる。そしてこのストッパ６３０を中に埋め込むことで、支持脚台座７００はストッパ６３０に固定される。なお、支持柱６２０の外周に凸形のネジ（いわゆる「雄ネジ」）を設けるとともに頂部に「プラス（＋）溝」あるいは「マイナス（−）溝」を設け、さらにストッパ６３０の本体の内側に凹形のネジ（いわゆる「雌ネジ」）を設けると、ドライバ等をプラス溝（マイナス溝）に差し込んで回すことで支持脚台座７００を上下させることができ、すなわち支持脚台座７００の高さ調整が可能となってより好適となる。個々の支持脚台座７００の高さ調整を行うことによって、根太２００や床パネル３００を水平に設置することができるわけである。支持脚台座７００は、木材又は木材を主原料とする合材（以下、「木質材料」という。）を用いたものとするとよい。
【００３２】
（根太）
所定位置に所定数の支持脚６００が設置されると、図２（ｂ）に示すように支持脚台座７００上に根太２００が設置される。根太２００は既述のとおり長尺部材であり、複数の根太２００が図３（ａ）に示すＸ軸方向に向いて並べられる。また支持脚６００上で支持される根太２００は、当然ながら支持脚６００が配列された位置に合わせて配置され、例えば図３（ａ）では支持脚６００に合わせて７列の根太２００が設置される。
【００３３】
図４は、支持脚台座７００上に設置された根太２００を示す部分断面図であり、（ａ）は溝形鋼の根太２００を、（ｂ）は平鋼の根太２００を示している。例えば根太２００は、図４（ａ）に示すように頂板２１０（ウェブ）と２つの側板２２０（フランジ）からなる溝形鋼を用いることができる。そして、頂板２１０と２つの側板２２０に囲まれた領域（図４（ａ）のうち破線で示す領域で、以下、「溝形空間」という。）内に支持脚台座７００を収容するように根太２００を配置する。すなわち、頂板２１０の内側面（裏面）が支持脚台座７００の上面に当接する姿勢で、根太２００を設置する。根太２００をこのような姿勢で設置することで、根太２００による床高の増大をなくしている（厳密には、床高の増大を頂板２１０の肉厚分に留めている）わけである。
【００３４】
根太２００は床パネル３００を載置するものであり、したがって床パネル３００を支えることができれば図４（ｂ）に示すように平鋼（フラットバー）の根太２００とすることもできる。ただし平鋼は溝形鋼に比して構造的に脆弱であるため、上載荷重などを十分検討したうえで採用できるケースを見極めるとよい。なお、根太２００は、溝形鋼や平鋼など鋼材を用いるほか、合成樹脂や木質材料を利用したものとすることもできるが、この場合も上載荷重などを十分検討したうえで採用することとなる。
【００３５】
（床パネル）
支持脚台座７００上に根太２００が設置されると、根太２００上に床パネル３００が設置されるとともに、隣接する床パネル３００間に連結材８００が設置される。なお１つの床パネル３００の大きさは、対象とする床面積に対して十分小さいことから、図３（ｃ）に示すように、複数（図では３０枚）の床パネル３００が用意され、床を敷き詰めるように平面配置される。
【００３６】
図５は、押出成形セメント板を用いた床パネル３００の詳細を示す図であり、（ａ）は床パネル３００の断面図、（ｂ）は根太２００上に設置された床パネル３００を示す平面図である。本願発明の乾式二重床構造の遮音性能をさらに向上させるためには、既述のとおり構造全体の重量を増大すると効果があり、したがって床パネル３００も押出成形セメント板など相当の重量を有するものが適している。もちろん押出成形セメント板に限らず、プレキャストのコンクリート板や、鋼製板、あるいは合成樹脂や木質材料からなる板材を状況に応じて採用することもできる。
【００３７】
押出成形セメント板は、図５（ａ）に示すように内部に空洞３１０を備え、他面よりも上下面が著しく広い６面体（直方体）形状のものが一般的である。そして、本願発明の乾式二重床構造に用いる場合、床パネル３００の４側面（上下面を除く面）のうち、隣接する床パネル３００と対向する側面（以下、「端部面」という。）には、凹部３２０が設けられる。図５（ａ）に示す床パネル３００では、左右の側面が端部面となり、この面に凹部３２０が設けられている。
【００３８】
図５（ｂ）に示すように床パネル３００は、２本の根太２００（図では上下の根太２００）の間に架け渡され、４側面のうち端部面でない側面（以下、「係止面」という。）側の端部が根太２００上に載置される。言い換えれば、床パネル３００のうち両側の係止面側の端部が、根太２００上に係止されることによって、床パネル３００は支持される。このとき、接続空間が形成されるよう、隣接する床パネル３００間（対向する端部面間）には隙間が設けられるように配置される。
【００３９】
（連結材）
連結材８００は、図３（ｂ）に示すように根太２００と同様長尺部材であり、根太２００の配置方向（Ｘ軸方向）に直交する方向（Ｙ軸方向）に向けて並べられる。なお図１からも分かるように、図３（ｂ）において根太２００と連結材８００が交差する位置に支持脚６００は設置されている。
【００４０】
図６は、連結材８００を説明するための図であり、（ａ）は連結材８００の断面図、（ｂ）は根太２００上に設置された上部連結材８１０と下部連結材８２０を示す断面図である。なお、図６（ａ）は、図３のＹ軸方向に見た断面図であり、図６（ｂ）は、図３のＸ軸方向に見た断面図である。
【００４１】
図６（ａ）に示すように連結材８００は、上部連結材８１０と下部連結材８２０からなる上下２段の構成とすることができる。このうち下部連結材８２０には、支持脚６００（特に支持柱６２０）を収容することができる収容孔８３０が設けられ、さらに側面には突起部８４０が設けられている。図１に示すように、支持脚６００の支持柱６２０が下方から収容孔８３０内を貫通するまで挿通され、下部連結材８２０の上面で支圧板とナットによって締め付けられる。つまり下部連結材８２０は、上面側から支圧板とナットで、下面側から根太２００で挟まれることによって堅固に固定されるわけである。したがって支圧板は、収容孔８３０の断面よりもやや大きな形状とする必要がある。
【００４２】
既述のとおり連結材８００は、隣接する床パネル３００間に形成される接続空間に設置される。接続空間では、隣接する床パネル３００双方の端部面が対向しており、すなわち端部面に設けられる凹部３２０が向かい合っている。そして連結材８００が接続空間に設置される際、その突起部８４０が凹部３２０内に挿入される。図１でも、連結材８００が接続空間に設置されるとともに、連結材８００の左右に設けられる突起部８４０が左右に隣接する床パネル３００の凹部３２０内に挿入されている状態を示している。したがって突起部８４０は、床パネル３００側に突出する形状であって、凹部３２０内に挿入可能な形状とされる。さらに、突起部８４０が凹部３２０内に挿入されたとき、突起部８４０の下面が凹部３２０の一部面（水平面）と接触するような位置に、突起部８４０を設けるとよい。これにより、下部連結材８２０の上面が支圧板とナットによって締め付けられると突起部８４０が凹部３２０を押し付けることとなり、結果的に連結材８００が左右に隣接する床パネル３００を連結するとともに、これらを堅固に固定することができるわけである。
【００４３】
突起部８４０を凹部３２０内に挿入させながら、連結材８００を接続空間に設置するには、まず図２（ｃ）に示すように左側の床パネル３００ａを根太２００上に設置する。次いで図２（ｄ）に示すように、左側の床パネル３００ａの凹部３２０内に左側の突起部８４０を挿入させながら下部連結材８２０を接続空間に設置し、支圧板とナットで締め付ける。このとき、上部連結材８１０がないため下部連結材８２０の上方は開放されており、下部連結材８２０の上面を支圧板とナットで締め付ける作業が極めて容易となる。そして図２（ｅ）に示すように、右側の床パネル３００ｂの凹部３２０内に右側の突起部８４０が挿入されるように右側の床パネル３００ｂを設置し、その後下部連結材８２０の上方に上部連結材８１０を設置する。なお現場の状況によっては、先に連結材８００を設置したうえで左右の床パネル３００を設置することもできるし、連結材８００の形状によっては、左右の床パネル３００を設置したうえで連結材８００を設置することもできる。
【００４４】
図１や図２に示す上部連結材８１０には、支持脚６００（特に支持柱６２０）の頭部を収容するための空洞が設けられているが、図６（ｂ）に示す開放空間を形成することでこの空洞を省略することもできる。この開放空間について、以下説明する。図３（ｂ）ではＸ軸方向に６列の連結材８００が並べられているが、１列の連結材８００を構成する上部連結材８１０を複数に分ける。そして、それぞれ分割された上部連結材８１０は下部連結材８２０上に並べられるが、図６（ｂ）に示すように支持脚６００が設置されている箇所だけは空所を設けるよう配置される。その結果、支持脚６００の設置箇所には、下部連結材８２０のみ配置され、その上部には開放空間が形成されるわけである。これにより、上部連結材８１０に空洞を設けることなく支持脚６００頭部を収めることができるうえ、調整のため事後的に支圧板とナットの締め付け作業を行うことができる。なお、図３（ｂ）に示す１列の連結材８００が十分長い場合などは、下部連結材８２０を複数に分割してもよい。
【００４５】
ここまで説明した連結材８００は、左右に１つずつ突起部８４０を設けていたが、これに限らず片側に２つの突起部８４０を設けるなど様々な連結材８００を利用することができる。図７は、種々の連結材８００を示す断面図であり、（ａ）は両側に２つずつの突起部８４０を設けた連結材８００を、（ｂ）は一方側に１つの突起部８４０を設け他方側に２つの突起部８４０を設けた連結材８００を、それぞれ示している。なお、図７（ａ）、図７（ｂ）ともに、上下に分かれない一体型の連結材８００である。
【００４６】
図７（ａ）に示す連結材８００のように、左右両側に上下２つずつの突起部８４０を設けた場合、左側に配置される床パネル３００ａの端部面には上下２箇所に凹部３２０が設けられ、右側に配置される床パネル３００ｂの端部面にもやはり上下２箇所に凹部３２０が設けられる。これにより、左右４つの突起部８４０はそれぞれ凹部３２０に挿入される。  一方、図７（ｂ）に示す連結材８００のように、左側に上下２つの突起部８４０を設け、右側には中段に１つの突起部８４０を設けた場合、左側に配置される床パネル３００ａの端部面には上下２箇所に凹部３２０が設けられ、右側に配置される床パネル３００ｂの端部面には中段に１箇所だけ凹部３２０が設けられる。これにより、左右３つの突起部８４０はそれぞれ凹部３２０に挿入される。
【００４７】
（床下地材と床仕上げ材）
床パネル３００と連結材８００が設置されると、図２（ｆ）に示すように、床パネル３００上に床下地材４００が敷設され、さらに床下地材４００の上面に床仕上げ材５００が設置される。このとき、床下地材４００を合板等の木質材料とすると、床仕上げ材５００の設置に制約がなく、その結果選択できる床仕上げ材５００の幅が広がって好適となる。この場合、床下地材４００は釘やビスで打付けて固定することができるが、床パネル３００を押出成形セメント板とすると、釘やビスでの固定は難しい。そこで木質材料からなる上部連結材８１０を利用する。すなわち上部連結材８１０と床下地材４００がともに木質材料からなるものであるから、上部連結材８１０と重なる箇所で、床下地材４００を釘やビスで打付けるわけである。
【００４８】
（内壁側の構造）
ここまで、隣接する床パネル３００の間に形成される接続空間に、連結材８００が設置されるケースについて説明してきたが、本願発明の乾式二重床構造は、内壁９００と床パネル３００の間に形成される接続空間に、連結材８００を設置する構造とすることもできる。図３（ｂ）や図３（ｃ）に示すように、最も内壁９００に近付いて設置される床パネル３００と、その床パネル３００が対向する内壁９００との間には接続空間が形成されるよう当該床パネル３００は配置され、この接続空間に連結材８００が設置される。このケースでは、一部の連結材８００（図３（ｃ）に示す最上列と最下列）が根太２００と略平行（平行含む）に配置される。
【００４９】
図８は、内壁９００付近に構築される本願発明の乾式二重床構造を示す部分断面図である。この図に示すように、床パネル３００の側面のうち内壁９００に対向する側面が端部面となり、この端部面に凹部３２０が設けられる。床パネル３００の端部面と内壁９００の間に接続空間が形成され、この接続空間に連結材８００が設置され、しかも突起部８４０が凹部３２０内に挿入される。
【００５０】
２．乾式二重床構造の構築方法
次に、本願発明の乾式二重床構造の構築方法について説明する。なお、本願発明の乾式二重床構造の構築方法は、ここまで説明してきた乾式二重床構造を構築する方法であり、したがって「１．乾式二重床構造、及び連結材」と重複する内容の説明は避け、乾式二重床構造の構築方法に特有の内容のみ説明することとする。すなわち、ここに記載されていない内容は、「１．乾式二重床構造、及び連結材」で記載したものと同様である。
【００５１】
図９は、本願発明の乾式二重床構造の構築方法の主な工程の流れを示すフロー図である。この図にしたがって、本願発明の乾式二重床構造の構築方法について説明する。はじめに場所打ちコンクリート等により基礎スラブ１００を構築する（Ｓｔｅｐ１０：基礎スラブ構築工程）。次に基礎スラブ１００上に、所定の配置で複数の支持脚６００を設置する（Ｓｔｅｐ２０：支持脚設置工程）。支持脚６００の設置後、この支持脚６００に支持させるように根太２００を固定する（Ｓｔｅｐ３０：根太固定工程）。このとき、支持脚６００に取り付けられた支持脚台座７００の上面に根太２００を載置し、根太２００上に設置した下部連結材８２０の上面を支圧板とナットで締め付けることによって根太２００を固定するとよい。
【００５２】
根太２００が固定できると、この根太２００上に床パネル３００を載置し（Ｓｔｅｐ４０：床パネル載置工程）、隣接する床パネル３００の間（接続空間）に連結材８００を設置する（Ｓｔｅｐ５０：連結材設置工程）。このとき、図２に示すように一方（例えば左側）の床パネル３００ａを載置した後に連結材８００を設置し、その後に他方（例えば右側）の床パネル３００ｂを載置してもよい。最後に敷き並べられた床パネル３００上に床下地材４００を載置して、木質材料からなる上部連結材８１０と重なる箇所で、床下地材４００を釘やビスで打付ける。そして床下地材４００の上面に床仕上げ材５００を敷設して（Ｓｔｅｐ６０：床仕上げ材設置工程）完了する。
【００５３】
３．実験結果
以下、本願発明の効果を確認するために本願発明者らが実施した実験結果について説明する。
【００５４】
図１０は、本願発明の乾式二重床構造と従来構造の遮音効果を比較するグラフ図であり、それぞれ軽量床衝撃音や重量床衝撃音に対する低減量を示している。この図から分かるように、本願発明の乾式二重床構造を用いれば、軽量床衝撃音、重量床衝撃音ともに、従来構造よりも２ランク低減される。すなわち本願発明の乾式二重床構造が、種々の騒音に対して効果的に遮音し得ることが理解できる。
【産業上の利用可能性】
【００５５】
本願発明の「乾式二重床構造、乾式二重床構造の構築方法、及び連結材」は、マンションなどの集合住宅や、戸建住宅、オフィスビルといった建築物で利用できるほか、校舎や倉庫などあらゆる建築物で利用することができる。放送施設や映画館、コンサートホールなど騒音が妨げとなる建築物には、特に有効である。
【符号の説明】
【００５６】
１００    基礎スラブ
２００    根太
２１０    （根太の）頂板
２２０    （根太の）側板
３００    床パネル
３１０    （床パネルの）空洞
３２０    （床パネルの）凹部
４００    床下地材
５００    床仕上げ材
６００    支持脚
６１０    （支持脚の）台座
６２０    （支持脚の）支持柱
６３０    （支持脚の）ストッパ
７００    支持脚台座
８００    連結材
８１０    （連結材を構成する）上部連結材
８２０    （連結材を構成する）下部連結材
８３０    （連結材の）収容孔
８４０    （連結材の）突起部
９００    内壁
【図１】
0006679135.tif 000002
【図２】
0006679135.tif 000003
【図３】
0006679135.tif 000004
【図４】
0006679135.tif 000005
【図５】
0006679135.tif 000006
【図６】
0006679135.tif 000007
【図７】
0006679135.tif 000008
【図８】
0006679135.tif 000009
【図９】
0006679135.tif 000010
【図１０】
0006679135.tif 000011
【図１１】
0006679135.tif 000012
【図１２】
0006679135.tif 000013